(57)【要約】【課題】基材表面の形状により生じる陰によって、新たなデザインを形成することが可能な建築板を提供する。【解決手段】  建築板は、基材１の表面に、それぞれ立体的な形状を有する複数の立体形状部２２が集合してなる立体形状部群が形成された建築板である。各立体形状部２２は、基準面上に位置する多角形状の輪郭２４と、輪郭２４に囲まれた領域内における基準面の法線上で、かつ前記基準面とは異なる高さに位置する一点２５と、側周面２６とを備える。側周面は、輪郭２４を構成する一辺の両端の点と、一点２５との三つの点を結ぶ三角形で囲まれた面２６１を複数有し、複数の面２６１が輪郭２４を構成するすべての辺に対応して設けられる。【選択図】図２
2018059347.tif 000002
【特許請求の範囲】
【請求項１】
基材の表面に、それぞれ立体的な形状を有する複数の立体形状部が集合してなる立体形状部群が形成された建築板であって、
前記各立体形状部は、
前記基材の表面に規定された基準面上に位置する多角形状の輪郭と、
前記輪郭に囲まれた領域内における前記基準面の法線上で、かつ前記基準面とは異なる高さに位置する一点と、
前記輪郭を構成する一辺の両端の点と前記一点との三つの点を結ぶ三角形で囲まれた面を複数有し、前記複数の面が前記輪郭を構成するすべての辺に対応して設けられた側周面と
を備えている
ことを特徴とする建築板。
【請求項２】
前記基材の表面に複数の前記立体形状部群が形成されている
ことを特徴とする請求項１に記載の建築板。
【請求項３】
前記立体形状部群中の複数の前記輪郭が格子状をなしている
ことを特徴とする請求項１又は２に記載の建築板。
【請求項４】
前記基材は、矩形板状をなしており、
前記基材の表面には、複数の前記立体形状部群が形成されており、
前記複数の立体形状部群は、前記輪郭が矩形状をなし且つ平行な二辺が前記基材の一辺と平行である立体形状部群、及び、前記輪郭が矩形状をなし且つ対角線が前記基材の一辺と平行である立体形状部群の少なくとも一方を含む
ことを特徴とする請求項３に記載の建築板。
【請求項５】
前記立体形状部群は、前記基準面から突出した角錐状の凸部、及び、前記基準面から凹んだ凹部の少なくとも一方を含む
ことを特徴とする請求項１〜４のいずれか一項に記載の建築板。
【請求項６】
前記立体形状部群は、前記基準面から突出した角錐状の凸部を含み、
前記凸部は、前記基材の表面のうち前記立体形状部群以外の領域よりも低く形成されている
ことを特徴とする請求項１〜５のいずれか一項に記載の建築板。
【請求項７】
前記立体形状部群は、
前記基準面から突出し、かつすべて同じ高さ寸法に形成された複数の角錐状の凸部と、
前記基準面から凹み、かつすべて同じ深さ寸法に形成された複数の凹部と
の少なくとも一方を含む
ことを特徴とする請求項１〜６のいずれか一項に記載の建築板。
【請求項８】
前記立体形状部群は、
前記基準面から突出した角錐状の凸部と、
前記基準面から凹んだ凹部と
を含んでおり、
前記立体形状部群内の前記凸部と前記凹部とは、それぞれの前記輪郭が一辺を共有した状態で隣接しており、
互いに隣接する前記凸部の面と前記凹部の面とが連続している
ことを特徴とする請求項１〜７のいずれか一項に記載の建築板。
【請求項９】
前記立体形状部群の領域内には、前記基準面と同一高さであって該基準面と平行な平坦面が形成されている
ことを特徴とする請求項１〜８のいずれか一項に記載の建築板。
【発明の詳細な説明】
【技術分野】
【０００１】
本発明は、建築板に関する。
【背景技術】
【０００２】
特許文献１には、従来の建築板が開示されている。この特許文献１記載の建築板は、基材表面に、複数の凹条部により区画された複数の凸条部が形成されている。この複数の凸条部の表面には、印刷またはインクジェットによる塗装がなされている。
【先行技術文献】
【特許文献】
【０００３】
【特許文献１】特開２０１６−１４１９４２号公報
【発明の概要】
【発明が解決しようとする課題】
【０００４】
ところで、この種の建築板は、塗装による多種多様なデザインにて、他の商品との差別化が図られるのが一般的である。
【０００５】
しかしながら、従来の建築板では、基材表面が単純な形状に過ぎないため、塗装のみのデザインでは、他の商品と差別化を図ることが難しくなってきている。
【０００６】
本発明は、上記事情に鑑みてなされたものであり、その目的とするところは、建築板において、基材の表面の形状を利用して表現する新たなデザインを提供することにある。
【課題を解決するための手段】
【０００７】
本発明の一態様の建築板は、基材の表面に、それぞれ立体的な形状を有する複数の立体形状部が集合してなる立体形状部群が形成された建築板であって、前記各立体形状部は、前記基材の表面に規定された基準面上に位置する多角形状の輪郭と、前記輪郭に囲まれた領域内における前記基準面の法線上で、かつ前記基準面とは異なる高さに位置する一点と、前記輪郭を構成する一辺の両端の点と前記一点との三つの点を結ぶ三角形で囲まれた面を複数有し、前記複数の面が前記輪郭を構成するすべての辺に対応して設けられた側周面とを備えていることを特徴とする。
【０００８】
また、この建築板において、前記基材の表面に複数の前記立体形状部群が形成されていることが好ましい。
【０００９】
また、この建築板において、前記立体形状部群中の複数の前記輪郭が格子状をなしていることが好ましい。
【００１０】
また、この建築板において、前記基材は、矩形板状をなしており、前記基材の表面には、複数の前記立体形状部群が形成されており、前記複数の立体形状部群は、前記輪郭が矩形状をなし且つ平行な二辺が前記基材の一辺と平行である立体形状部群、及び、前記輪郭が矩形状をなし且つ対角線が前記基材の一辺と平行である立体形状部群の少なくとも一方を含むことが好ましい。
【００１１】
また、この建築板において、前記立体形状部群は、前記基準面から突出した角錐状の凸部、及び、前記基準面から凹んだ凹部の少なくとも一方を含むことが好ましい。
【００１２】
また、この建築板において、前記立体形状部群は、前記基準面から突出した角錐状の凸部を含み、前記凸部は、前記基材の表面のうち前記立体形状部群以外の領域よりも低く形成されていることが好ましい。
【００１３】
また、この建築板において、前記立体形状部群は、前記基準面から突出し、かつすべて同じ高さ寸法に形成された複数の角錐状の凸部と、前記基準面から凹み、かつすべて同じ深さ寸法に形成された複数の凹部との少なくとも一方を含むことが好ましい。
【００１４】
また、この建築板において、前記立体形状部群は、前記基準面から突出した角錐状の凸部と、前記基準面から凹んだ凹部とを含んでおり、前記立体形状部群内の前記凸部と前記凹部とは、それぞれの前記輪郭が一辺を共有した状態で隣接しており、互いに隣接する前記凸部の面と前記凹部の面とが連続していることが好ましい。
【００１５】
また、この建築板において、前記立体形状部群の領域内には、前記基準面と同一高さであって該基準面と平行な平坦面が形成されていることが好ましい。
【発明の効果】
【００１６】
本発明の建築板によれば、複数の面が互いに異なる方向に臨んでいるため、この建築板を設置した状態では、各立体形状部に生じる陰の濃淡に変化を与えることができる。この結果、基材表面の形状により生じる陰によって、新たなデザインを形成することができる。
【図面の簡単な説明】
【００１７】
【図１】本発明に係る実施形態１の建築板の正面図である。
【図２】同上の第１の立体形状部群の拡大図である。
【図３】図３Ａは、同上の第２の立体形状部群の拡大図である。図３Ｂは、図３Ａに補助線および凸部に相当する箇所に網掛けを記入した説明図である。
【図４】図４Ａは、図３ＡにおけるＡ−Ａ線で断面した斜視図である。図４Ｂは、図４Ａに補助線および凸部に相当する箇所に網掛けを記入した説明図である。
【図５】図５Ａは、本発明に係る実施形態２の建築板の立体形状部群の斜視図である。図５Ｂは、図５Ａに補助線および凸部に相当する箇所に網掛けを記入した説明図である。
【図６】図６Ａは、他例の立体形状部群の拡大図である。図６Ｂは、さらに他例の立体形状部群の拡大図である。
【発明を実施するための形態】
【００１８】
以下、本発明の一実施形態について添付図面に基づいて説明する。
【００１９】
〔実施形態１〕
本実施形態の建築板は、図１に示すように、外壁材であり、例えば、窯業系サイディング材により構成されている。本実施形態の建築板は、横張り（横長状態での設置）および縦張り（縦長状態での設置）のいずれにも対応可能であるが、以下においては、横張りされた状態に基づいて説明する。したがって、上下方向に平行な方向を幅方向とし、左右方向に平行な方向を長さ方向として定義し、幅方向および長さ方向に直交する方向を前後方向として定義する。また、建築板において前後方向に直交する平面を主面という場合がある。なお、図１等の基材１の表面に表れる濃淡は、塗装により塗り分けられたものではなく、表面に表れた陰影によるものである。
【００２０】
建築板は、基材１により主体が構成されている。基材１は、塗装される前の成形体であり、例えば、窯業系の基材により構成される。基材１の表面には、図１に示すように、幅方向に延びた疑似目地（以下、縦目地１１）と、長さ方向に延びた疑似目地（以下、横目地１２）とにより区画された複数の矩形状凸部１３が形成されている。これら複数の矩形状凸部１３と目地１１，１２とは、例えば、プレス金型を用いて、基材１の表面に凹凸形状を形成することで構成されている。
【００２１】
本実施形態の建築板は、複数の矩形状凸部１３として、平面状凸部１３１と、立体形状部群１３２とを備えている。平面状凸部１３１は、前面が平坦に形成されている。立体形状部群１３２は、前面に複数の立体形状部２２，３１が集合して構成されている。本実施形態の建築板は、立体形状部群１３２として、２種類の立体形状部群１３２（第１の立体形状部群２，第２の立体形状部群３とする）を備えている。
【００２２】
図２には第１の立体形状部群２の拡大図を示す。第１の立体形状部群２は、複数の平面部２１と複数の立体形状部２２とを備えている。これら平面部２１と立体形状部２２とは、基準面を基準に形成されている。ここで、基準面は、前後方向に直交する平面状の仮想面であり、本実施形態では、平面状凸部１３１の前面よりも後方で、かつ目地１１，１２の底面よりも前方の位置に規定されている。
【００２３】
平面部２１は、基準面と高さが一致し且つ基準面に平行な平坦面により構成されており、基準面に正対する方向にみて（以下、正面視という）ひし形（基材１の長さ方向に対し４５°傾いた正方形、言い換えると、一の対角線が基材１の長さ方向に平行な正方形）に形成されている。また、平面部２１は、基準面に対して、同一平面上に位置している。平面部２１は、第１の立体形状部群２の上下方向の中央部に配置されており、左右方向（基材１の長さ方向）に並んで複数配置されている。すなわち、平面部２１は、第１の立体形状部群２の領域内に形成されている。
【００２４】
立体形状部２２は、基準面上に立体的に形成された形状をなす部分である。第１の立体形状部群２における立体形状部２２は、基準面から前方に突出した角錐状の凸部２３により構成されている。本実施形態の角錐状の凸部２３は、具体的には四角錐状の凸部であり、平面部２１と同様に、正面視ひし形（基材１の長さ方向に対し４５°傾いた正方形）に形成されている。この凸部２３は、基準面上に輪郭２４を有している。
【００２５】
輪郭２４は、立体形状部２２の外縁を規定する線であり、隣接する凸部２３同士の間の谷線のみ、あるいは、平面部２１と凸部２３との間の境界線と、隣接する凸部２３同士の間の谷線とで構成されており、つまり、角度の異なる複数の面の交線であって、基準面上に位置する線により構成されている。輪郭２４は、ひし形をなしており、各辺が基材１の長さ方向に対して４５°または１３５°傾斜している。正面視において、輪郭２４に囲まれた領域には、凸部２３の頂点２５１が位置している。
【００２６】
頂点２５１は、基準面に対して凸部２３上の最も離れた点であり、基準面の法線上の一点により構成される。言い換えると、頂点２５１は、輪郭２４が形成する図形の中心を通り且つ基準面に直交する線分の端点２５により構成される。頂点２５１は、平面視において、輪郭２４により形成される図形の中心（図心）に位置し、且つ、基準面の前方に位置している。また、基準面に対する頂点２５１の高さ寸法（基準面と端点２５との距離）は、基準面に対する平面状凸部１３１の前面の高さ寸法よりも低く形成されており、すなわち、凸部２３は、第１の立体形状部群２以外の領域である平面状凸部１３１よりも低く形成されている。さらに、第１の立体形状部群２における凸部２３は、すべてが同じ高さ寸法に形成されている。
【００２７】
凸部２３は、複数の傾斜面２６１を有しており（本実施形態では４つ）、該複数の傾斜面２６１により構成された側周面２６を備えている。傾斜面２６１は、輪郭２４の複数の辺のうちの一辺の両端の点と、頂点２５１との３つの端点を結ぶ三角形で囲まれた面であり、基準面に対して傾斜している。傾斜面２６１は、輪郭２４のすべての辺に対応して形成されており、隣り合う傾斜面２６１同士が互いに異なる方向に臨んでいる。
【００２８】
このような構成の複数の凸部２３は、輪郭２４の辺に平行な方向に並設されている。この複数の凸部２３の並設方向は、基材１の長さ方向に対して４５°傾いており、輪郭２４の対角線が基材１の一辺と平行である。隣り合う凸部２３同士は、輪郭２４の一辺を共有した状態で隣接している。複数の凸部２３と平面部２１とは、複数の凸部２３の並設方向に並んでおり、これにより、第１の立体形状部群２全体では、輪郭２４が格子状をなしている。
【００２９】
このように第１の立体形状部群２は、各立体形状部２２が、互いに異なる方向に臨む複数の傾斜面２６１により構成されている。このため、建築板を設置した状態において、太陽光や照明光等の光源から光が照射されると、各凸部２３に現れる陰の濃淡が、３段階以上となる。つまり、光源に臨む傾斜面２６１が最も明るくなり、次に光源に近い傾斜面２６１が２番目に明るくなる、というように、立体形状部２２に複数の濃淡が現れる。したがって、陰による表現が複雑になり、従来にない新たなデザインを形成することが可能となる。それに併せて、立体形状部２２により影も生じるため、より複雑な表現をすることができる。
【００３０】
図１，２は、建築板に前方且つ左上から光が照射された状態を示している。凸部２３の側周面は、左上に位置する第１傾斜面２６１ａと、左下側に位置する第２傾斜面２６１ｂと、右上側に位置する第３傾斜面２６１ｃと、右下側に位置する第４傾斜面２６１ｄと、によって構成されている。
【００３１】
そして、第１傾斜面２６１ａは、右下側に向かって前方に傾斜しているため、その法線方向と光の入射方向とのなす角度が最も小さく、その受光量が最も大きくなる。したがって、反射光の強度が最も大きくなり、結果として、第１傾斜面２６１ａが最も明るくなる。次いで、第２傾斜面２６１ｂ及び第３傾斜面２６１ｃは、各法線方向と光の入射方向とのなす角度が第１傾斜面２６１ａの次に小さく、結果として、第２傾斜面２６１ｂ及び第３傾斜面２６１ｃが第１傾斜面２６１ａの次に明るくなる。最後に、第４傾斜面２６１ｄは、左上側に向かって前方に傾斜しているため、その法線方向と光の入射方向とのなす角度が最も大きく、その受光量が最も小さくなる。したがって、反射光の強度が最も小さくなり、結果として、第４傾斜面２６１ｄが最も暗くなる。以上より、これら傾斜面２６１ａ〜２６１ｄは、この順番に不連続且つ段階的に陰が濃くなる。
【００３２】
そして、このように段階的な陰影を表現する凸部２３が規則正しく並ぶことにより、濃度の異なる陰影が幾何学的に配列され、統一感のある陰影模様を表現することができる。
【００３３】
しかも、第１の立体形状部群２の各凸部２３は、平面状凸部１３１に囲まれている上に、平面状凸部１３１よりも低く形成されている。このため、運搬時や保管時等に、建築板を重ねても、凸部２３が欠けてしまうのを抑制することができる。
【００３４】
次に、第２の立体形状部群３について説明する。図３Ａ，３Ｂには第２の立体形状部群３の拡大図を示し、図４Ａ，４Ｂには、図３におけるＡ−Ｂ線断面の斜視図を示す。ここで、図３Ｂは、図３Ａにおいて輪郭３３や稜線に相当する箇所に補助線を記入し、凸部３２に相当する箇所に網掛けを記入した図である。また、図４Ｂは、図４Ａにおいて輪郭３３や稜線に相当する箇所に補助線を記入し、凸部３２に相当する箇所に網掛けを記入した図である。
【００３５】
第２の立体形状部群３は、複数の立体形状部３１として、複数の凸部３２と、複数の凹部３６とを備えている。複数の凸部３２は、基材１の長さ方向に並んで形成されている。また、複数の凹部３６も、基材１の長さ方向に並んで形成されている。凸部３２と凹部３６とは、基材１の幅方向に交互に並んで形成されている。
【００３６】
凸部３２は、第１の立体形状部群２と同様、輪郭３３と、頂点３４１（端点３４）と、複数の傾斜面３５１からなる側周面３５とを備えている。輪郭３３と頂点３４１との関係は、第１の立体形状部群２の凸部２３と同じである。
【００３７】
凸部３２は、図４に示すように、基準面に対して前方に突出しており、平面視において、基材１の長さ方向に平行な方向に長手方向を有する長方形状に形成されている。凸部３２は、基準面上に、矩形状の輪郭３３を有している。凸部３２の輪郭３３は、平行な二辺が基材１の一辺と平行となるように形成されている。凸部３２は、図３Ａ，Ｂに示すように、頂点３４１が長方形状の輪郭３３により形成される図形の中心に位置しており、四角錐状に形成されている。
【００３８】
凹部３６は、図４に示すように、基準面に対して後方に凹んだ空間を形成する。凹部３６は、凸部３２の輪郭３３と同一の輪郭３３を有しており、該輪郭３３は、基材１の長さ方向に平行な方向を長辺とする矩形状に形成されている（つまり、凹部３６の輪郭３３のうちの平行な二辺は基材１の一辺に平行である）。凹部３６の下端部３７１は、基準面に対して凹部３６の表面の最も離れた点であり、凹部３６の輪郭３３により形成される図形の中心を通る基準面の法線上の一点により構成される。言い換えると、凹部３６の下端部３７１は、輪郭３３が形成する図形の中心を通りかつ基準面に直交する線分の端点３７により構成される。凹部３６の下端部３７１は、基準面の後方に位置している。
【００３９】
凹部３６は、複数の傾斜面３８１を有しており（本実施形態では４つ）、該複数の傾斜面３８１により構成された側周面３８を備えている。凹部３６を構成する傾斜面３８１は、輪郭３３の複数の辺のうちの一辺の両端の点と、下端部３７１との３つの点を結ぶ三角形で囲まれた三角形状の面であり、基準面に対して傾斜している。傾斜面３８１は、輪郭３３のすべての辺に対応して形成されており、水平方向に隣り合う傾斜面３８１同士が互いに異なる方向に臨んでいる。
【００４０】
凸部３２と凹部３６は、輪郭３３の一辺を共有した状態で、基材１の幅方向に隣接している。図４に示すように、凸部３２の複数の傾斜面３５１のうちの凹部３６に隣接する傾斜面３５１は、凹部３６の複数の傾斜面３８１のうちの当該凸部３２に隣接する傾斜面３８１と連続している。とりわけ、本実施形態において、凸部３２の傾斜面３５１は、当該傾斜面３５１に隣接する凹部３６の傾斜面３８１に対し、略同一の傾斜角度を有している。
【００４１】
なお、ここでいう「連続」とは、段差無く接続されていることを意味しており、凸部３２の傾斜面３５１と凹部３６の傾斜面３８１との傾斜角度は必ずしも同一である必要はない。
【００４２】
ここで、図３Ａは、図１，２と同様に、建築板に前方且つ左上から光が照射された状態を示している。
【００４３】
凸部３２の側周面は、上側に位置する第１傾斜面３５１ａと、左右両側に位置する第２傾斜面３５１ｂ及び第３傾斜面３５１ｃと、下側に位置する第４傾斜面３５１ｄと、によって構成されている。第１傾斜面３５１ａは、下側に向かって前方に傾斜しているため、その法線方向と光の入射方向とのなす角度が最も小さく、受光量が最も大きくなる。したがって、反射光の強度が最も大きくなり、結果として、第１傾斜面３５１ａが最も明るくなる。次に、第２傾斜面３５１ｂ及び第３傾斜面３５１ｃは、各法線方向と光の入射方向とのなす角度が第１傾斜面３５１ａの次に小さく、結果として、第２傾斜面３５１ｂ及び第３傾斜面３５１ｃが第１傾斜面３５１ａの次に明るくなる。なお、これら第２傾斜面３５１ｂ及び第３傾斜面３５１ｃは、傾斜角度が異なるため、陰の濃さが若干異なる。最後に、第４傾斜面３５１ｄは、上側に向かって前方に傾斜しているため、その法線方向と光の入射方向とのなす角度が最も大きく、その受光量が最も小さくなる。したがって、反射光の強度が最も小さくなり、結果として、第４傾斜面３５１ｄが最も暗くなる。以上より、これら傾斜面３５１ａ〜３５１ｄは、この順番に不連続且つ段階的に陰が濃くなる。
【００４４】
凹部３６の側周面は、下側に位置する第１傾斜面３８１ａと、左右両側に位置する第２傾斜面３８１ｂ及び第３傾斜面３８１ｃと、上側に位置する第４傾斜面３８１ｄと、によって構成されている。第１傾斜面３８１ａは、下側に向かって前方に傾斜しているため、その法線方向と光の入射方向とのなす角度が最も小さく、受光量が最も大きくなる。したがって、反射光の強度が最も大きくなり、結果として、第１傾斜面３８１ａが最も明るくなる。次に、第２傾斜面３８１ｂ及び第３傾斜面３８１ｃは、各法線方向と光の入射方向とのなす角度が第１傾斜面３８１ａの次に小さく、結果として、第２傾斜面３８１ｂ及び第３傾斜面３８１ｃが第１傾斜面３８１ａの次に明るくなる。なお、これら第２傾斜面３８１ｂ及び第３傾斜面３８１ｃは、傾斜角度が異なるため、陰の濃さが若干異なる。最後に、第４傾斜面３８１ｄは、上側に向かって前方に傾斜しているため、その法線方向と光の入射方向とのなす角度が最も大きく、その受光量が最も小さくなる。したがって、反射光の強度が最も小さくなり、結果として、第４傾斜面３８１ｄが最も暗くなる。以上より、これら傾斜面３８１ａ〜３８１ｄは、この順番に不連続且つ段階的に陰が濃くなる。
【００４５】
そして、凸部３２の上下両側に凹部３６が設けられ、凸部３２の最も明るい第１傾斜面３５１ａの上側に凹部３６の最も明るい第１傾斜面３８１ａが連続して隣接し、凸部３２の最も暗い第４傾斜面３５１ｄの下側に凹部３６の最も暗い第４傾斜面３８１ｄが連続して隣接している。第１傾斜面３５１ａ及び第１傾斜面３８１ａは同一の二等辺三角形状をなし、長辺を共有している。したがって、これら２面により、最も明るいひし形が形成される。また、同様に、第４傾斜面３５１ｄ及び第４傾斜面３８１ｄは同一の二等辺三角形状をなし、長辺を共有している。したがって、これら２面により、最も陰の濃いひし形が形成される。
【００４６】
一方、凸部３２は左右方向に並べられており、第２傾斜面３５１ｂと第３傾斜面３５１ｃとが隣り合っている。そして、これら傾斜面３５１ｂ，３５１ｃは、上記の如く、陰の濃さが若干異なるため、二等辺三角形の面が左右に並ぶように認識される。同様に、凹部３６も左右方向に並べられており、第２傾斜面３８１ｂ及び第３傾斜面３８１ｃによって形成される二等辺三角形の面が左右に並ぶように認識される。
【００４７】
このように第２の立体形状部群３も、第１の立体形状部群２と同様、各立体形状部３１が、互いに異なる角度（基準面に対する角度）の複数の傾斜面３５１，３８１により構成されているため、陰の濃淡による表現を多様にすることができる。特に、第２の立体形状部群３は、凸部３２と凹部３６との隣り合う傾斜面３５１，３８１が連続しているため、この部分について、看者に対して、ひし形状の面として認識されることになる。したがって、第２の立体形状部群３は、図３に示すように、濃淡の異なる三角状の面が多数現れる上に、三角状の面と、ひし形状の面とが混在して認識され、したがって、単純な形状であるにもかかわらず、看者に対し複雑な形状として認識させることができる。
【００４８】
〔実施形態２〕
次に、実施形態２について図５Ａ，Ｂに基づいて説明する。なお、本実施形態は、実施形態１と大部分において同じであるため、同じ部分においては同符号を付して説明を省略し、主に異なる部分について説明する。
【００４９】
本実施形態の建築板は、図５Ａ，Ｂに示す立体形状部群１３２が基材１の表面の一部に形成された建築板である。この立体形状部群１３２は、１つの基材１に対して複数箇所に形成されている。本実施形態の建築板は、実施形態１と同様、窯業系の基材により構成されている。なお、図５Ｂには、図５Ａに対して輪郭４３および稜線を示す補助線と、凸部４１に相当する箇所に網掛けを記入した図を示す。
【００５０】
立体形状部群１３２は、複数の凸部４１と、複数の凹部４２とを備えている。凸部４１の輪郭４３、および、凹部４２の輪郭４３は、いずれも、ひし形状に形成されており、輪郭４３の対角線が基材１の一辺と平行である。立体形状部群１３２全体に形成される輪郭４３は格子状をなしている。
【００５１】
複数の凸部４１は、隣り合った状態で並設されている（この列を凸部列５という）。この凸部列５の並設方向は、基材１の長さ方向に対して４５°傾いている。凸部列５には、凸部４１と凹部４２とが繰り返し形成された列（凹凸列６という）が隣接している。この凹凸列６は、凸部４１と凹部４２とが輪郭４３の一辺を共有した状態で隣接している。凹凸列６は、基材１の長さ方向に対して４５°傾いており、凹凸列６の長さ方向に直交し且つ基準面に沿う方向に、凸部列５が隣接して形成されている。
【００５２】
このように、本実施形態の建築板は、実施形態１の建築板と同じように、立体形状部４として、四角錐状の凸部４１と、四角錐状の凹部４２とを備えているが、凸部４１と凹部４２の配置を、実施形態１の建築板とは異ならせている。
【００５３】
これによれば、凸部４１と凹部４２との配置を異ならせるだけで、看者に対し、実施形態１の建築板とは別異のデザインとして認識させることができる。この結果、デザインバリエーションを多様に形成することができる。
【００５４】
〔効果〕
以上、説明したように、上記実施形態１，２の建築板は、基材１の表面に複数の立体形状部４，２２，３１が集合してなる立体形状部群１３２が形成された建築板である。各立体形状部４，２２，３１は、基材１の表面に規定された基準面上に位置する多角形状の輪郭２４，３３，４３と、輪郭２４，３３，４３に囲まれた領域内における基準面の法線上で、かつ基準面とは異なる高さに位置する一つの端点２５，３４，３７と、側周面２６，３５，３８とを備えている。側周面２６，３５，３８は、輪郭２４，３３，４３の一辺の両端の点と、前記一点（端点２５，３４，３７）との３つの点を結ぶ三角形で囲まれた面（傾斜面２６１，３５１，３８１）を複数有しており、この複数の面（傾斜面２６１，３５１，３８１）が輪郭２４，３３，４３を構成する複数の辺に対応して設けられている。
【００５５】
この構成によれば、複数の面（傾斜面２６１，３５１，３８１）が互いに異なる方向に臨んでいるため、設置した状態では、各立体形状部４，２２，３１に生じる陰の濃淡に変化を与えることができる。この結果、基材１の表面の形状により生じる陰によって、新たな外観を形成することができる。
【００５６】
また、上記実施形態１，２の建築板は、次の付加的な構成を備える。すなわち、上記実施形態の建築板は、基材１の表面に複数の立体形状部群１３２が形成されている。
【００５７】
この構成によれば、１つの建築板において、多くの箇所で陰の濃淡による変化を与えることができる。
【００５８】
また、上記実施形態１，２の建築板は、次の付加的な構成を備える。すなわち、上記実施形態の建築板は、複数の立体形状部４，２２，３１の輪郭２４，３３，４３が格子状をなしている。
【００５９】
この構成によれば、規則性のある整然な印象を与えつつも、多様な陰影を利用したデザインを形成することができる。
【００６０】
また、上記実施形態１，２の建築板は、次の付加的な構成を備える。すなわち、上記実施形態の建築板において、基材１は、矩形板状をなしている。基材１の表面には、複数の立体形状部群１３２が形成されている。複数の立体形状部群１３２は、輪郭２４，３３，４３が矩形状をなし且つ平行な二辺が基材１の一辺と平行である立体形状部群１３２、及び、輪郭２４，３３，４３が矩形状をなし且つ対角線が基材１の一辺と平行である立体形状部群１３２の少なくとも一方を含む。
【００６１】
この構成によれば、より一層、規則性のある整然な印象を与える建築板とすることができる。
【００６２】
また、上記実施形態１，２の建築板は、次の付加的な構成を備える。すなわち、上記実施形態の建築板は、立体形状部群１３２が、基準面から突出した角錐状の凸部２３，３２，４１、及び、基準面から凹んだ凹部３６，４２の少なくとも一方を含む。
【００６３】
この構成によれば、凸部２３，３２，４１を含む建築板にあっては、凸部２３，３２，４１に生じる陰の濃淡に加えて、凸部２３，３２，４１により形成される影も相まって、基材１による陰影の表現に変化を与えることができる。凹部３６，４２を含む建築板にあっては、角錐状の凹部３６，４２によって模様を形成することができ、影を抑制しつつも陰の濃淡を強調した外観を形成することができる。
【００６４】
また、上記実施形態１，２の建築板は、次の付加的な構成を備える。すなわち、上記実施形態の建築板において、立体形状部群１３２は、基準面から突出した角錐状の凸部２３，３２，４１を含む。凸部２３，３２，４１は、基材１の表面のうち立体形状部群１３２以外の領域よりも低く形成されている。
【００６５】
この構成によれば、運搬時や保管時等に、建築板を重ねても、凸部２３，３２，４１が欠けてしまうのを抑制することができる。
【００６６】
また、上記実施形態１，２の建築板は、次の付加的な構成を備える。すなわち、上記実施形態の建築板において、立体形状部群１３２は、すべて同じ高さ寸法に形成された複数の角錐状の凸部２３，３２，４１と、すべて同じ深さ寸法に形成された複数の凹部３６，４２との少なくとも一方を含む。
【００６７】
この構成によれば、建築板に現れる陰影を均一なものとすることができ、統一感のある陰影を表現することができる。
【００６８】
また、上記実施形態１，２の建築板は、次の付加的な構成を備える。すなわち、上記実施形態の建築板は、凸部３２，４１と凹部３６，４２とは、輪郭３３，４３の一辺を共有した状態で隣接しており、凸部３２，４１と凹部３６，４２との互いに隣接する傾斜面３５１，３８１が連続している。
【００６９】
この構成によれば、凸部３２，４１と凹部３６，４２との互いに隣接する傾斜面３５１，３８１が、同じような濃淡を有する陰を形成するため、看者に対し、他の傾斜面３５１，３８１とは異なる形状に認識させることができる。
【００７０】
また、上記実施形態１，２の建築板は、次の付加的な構成を備える。すなわち、上記実施形態の建築板において、立体形状部群１３２の領域内には、基準面と同一高さであって該基準面と平行な平坦面が形成されている。
【００７１】
この構成によれば、立体形状部４，２２，３１の立体感を目立たせることができる。
【００７２】
〔応用〕
上記実施形態において各立体形状部４，２２，３１は、四角錐状の凸部２３，３２，４１または凹部３６，４２により形成されたが、例えば、図６Ａに示すような三角錐状の凸部７１や、図６Ｂに示すような五角錐状の凸部７２であってもよい。また、これらは凹部であってもよい。すなわち、立体形状部群１３２は、角錐状の凸部または凹部が集合して形成されていればよい。
【００７３】
また、上記実施形態では、頂点２５１，３４１および下端部３７１が、輪郭２４，３３，４３により形成される図形の中心を通る基準面の法線上に位置するが、これに限定されず、輪郭２４，３３，４３に囲まれた領域内における基準面の法線上に位置すればよい。このとき、「輪郭２４，３３，４３に囲まれた領域内」として、輪郭線上を含むものとする。
【００７４】
上記実施形態は外壁であったが、それに限定されず、例えば、内壁材に適用してもよいし、室内の間仕切りに適用してもよい。また、屋根に適用してもよい。
【００７５】
上記実施形態の建築板は、窯業系のサイディング材であったが、金属サイディング材であってもよい。また、塗装については、無くてもよく、塗装の有無は限定されない。
【００７６】
上記実施形態では、立体形状部群１３２として、凸部２３と平面部２１とで構成された例、凸部３２と凹部３６とで構成された例を説明したが、例えば、複数の凸部のみで構成されてもよいし、複数の凹部のみで構成されてもよい。
【００７７】
その他、上記実施形態の構成は、本発明の主旨を逸脱しない範囲であれば、適宜設計変更を行うことができる。
【符号の説明】
【００７８】
１      基材
１３２    立体形状部群
２２，３１    立体形状部
２３，３２，４１    凸部
２４，３３，４３    輪郭
２５，３４，３７    端点（一点）
２６，３５，３８    側周面
２６１，３５１，３８１  傾斜面（三角形で囲まれた面）
３６，４２    凹部
【図１】
2018059347.tif 000003
【図２】
2018059347.tif 000004
【図３】
2018059347.tif 000005
【図４】
2018059347.tif 000006
【図５】
2018059347.tif 000007
【図６】
2018059347.tif 000008